(57)【要約】      （修正有）【課題】副受信機が設置された場所の現場状況に応じて一時的かつ優先的に副受信機の音響停止を行うことができるとともに、火災受信機において、副受信機の音響停止がなされていることが容易に把握することができる自動火災報知設備を提供する。【解決手段】副受信機９は、音響停止操作部における通常のＯＮ操作と異なる所定操作がなされると、音響警報出力を行わない、または音響警報出力を停止するとともに音響警報出力停止状態を示す副受信機音響停止信号を火災受信機１０に送信し、火災受信機は、副受信機音響停止信号を受信して、ＬＣＤ画面５００および／または副受信機音響停止灯５５に副受信機が音響警報出力停止状態であることを示す表示出力制御を行う。【選択図】図１
2019179473.tif 000002
【特許請求の範囲】
【請求項１】
火災受信機と、該火災受信機が各種情報表示および／または音響警報出力した時に前記火災受信機から移信された警報情報信号を受信して、前記各種情報表示と同種の情報表示および／または前記音響警報と同種の音響警報出力を行う副受信機とを少なくとも備えた自動火災報知設備において、
前記火災受信機は、制御部と、操作部と、警報音響部と、各種情報表示画面および／または各種情報表示灯を有する表示部と、通信部とを備え、
前記副受信機は、制御部と、音響停止ＳＷを有する操作部と、警報音響部と、各種情報表示画面および／または音響停止灯を有する表示部と、通信部とを備え、
前記副受信機の制御部は、
前記音響停止ＳＷにおける所定時間以上継続したＯＮ操作入力により、前記副受信機警報音響部を音響警報出力停止制御するとともに前記副受信機の通信部を介して音響警報出力停止状態を示す副受信機音響停止信号を前記火災受信機に送信し、
前記火災受信機の制御部は、前記火災受信機の通信部を介して前記副受信機音響停止信号を受信すると、前記火災受信機表示部の各種情報表示画面および／または各種情報表示灯により前記副受信機が音響警報出力停止状態であることを示す表示出力制御することを特徴とする自動火災報知設備。
【請求項２】
火災受信機と、該火災受信機が各種情報表示および音響警報出力した時に前記火災受信機から移信された警報情報信号を受信して、前記各種情報表示と同種の情報表示および／または前記音響警報と同種の音響警報出力を行う副受信機とを備えた自動火災報知設備の音響警報表示方法において、
前記副受信機は、音響停止ＳＷにおける通常のＯＮ操作と異なる所定操作入力がなされると、音響警報出力を行わない、または音響警報出力を停止するとともに音響警報出力停止状態を示す副受信機音響停止信号を前記火災受信機に送信し、
前記火災受信機は、前記副受信機音響停止信号を受信すると、表示部に前記副受信機が音響警報出力停止状態であることを表示することを特徴とする自動火災報知設備の音響警報表示方法。
【発明の詳細な説明】
【技術分野】
【０００１】
本発明は、副受信機の音響警報停止機能に関するものである。
【背景技術】
【０００２】
所定の基準を満たす建築物は、防火対象物として自動火災報知設備の設置が義務づけられている。火災受信機は監視対象となる建築物の防災センターや管理室に設置され、各所に設置された火災感知器の作動を集中監視し、作動時には火災受信機自身及び各所のベル等の音響装置を鳴動させて火災警報出力を行う。防災センターや管理室が複数箇所ある場合、あるいは管理人の休憩室が別の場所にある場合、このような火災受信機が設置された場所以外の場所においても火災監視状況を即座に確認できるように副受信機が設置されることがある。
副受信機は、火災受信機と同等の火災発生箇所を示す表示機能部及び火災警報音響出力部（警報音響部）を備えている。また、火災警報確認後に受信機の音響を停止する音響停止スイッチを備えており、さらには、音響停止スイッチをＯＮ操作（押動操作）した場合に副受信機の音響停止状態を表示するスイッチ注意灯あるいは音響停止灯を備えている。
【０００３】
従来、副受信機の音響停止機能は、Ｐ型システム用副受信機（以下、Ｐ型副受信機）の場合、火災感知器から火災信号（短絡信号）の入力を受けた火災受信機が火災警報出力した時に、火災受信機から副受信機へ副受信機音響出力制御用の移信出力信号を送信する（印加電圧を出力する）。具体的には、図６に示されるようにＰ型副受信機９０ａは、移信出力信号を受信すると（印加電圧を受けると）ブザーＢＺが電圧印加されて音響警報出力を行う。副受信機９０ａの音響警報出力を停止させたい場合は、盤前面に設けられたロック式の音響停止スイッチ９７０をＯＮ操作すると、受信回路（図６（ｂ））のＳ１が切り離されて音響警報出力が停止するとともにＳ１がスイッチ注意灯の回路部（ＬＤ１等）９８０側に接続されてスイッチ注意灯９８０が点灯する。音響停止状態を解除したい場合は、ロック式の音響停止ＳＷをＯＦＦ操作して定位に戻す。
【０００４】
従って、Ｐ型副受信機の音響停止ＳＷをＯＮ操作すると、例えば、火災受信機が第２報を受信した場合や、火災受信機において火災受信機の音響停止ＳＷを操作して所定時間経過後も火災検出状態である場合（いわゆる再鳴動方式の場合）、火災受信機が再度副受信機へ移信出力信号を送信したとしても（印加電圧を出力したとしても）、Ｐ型副受信機は、音響警報出力を行うことができなかった。
【０００５】
一方、Ｒ型システムの場合（図７の自動火災報知設備１１０）、火災受信機（Ｒ型受信機）１００とＲ型副受信機９０ｂは、例えば、シールド付きツイストペアケーブルなどの通信線ＣＬで接続されており、ＲＳ−４８５規格のシリアル通信で各種情報の双方向通信を行う。具体的には、火災受信機１００は、中継器４などから警報情報信号を受信して、火災受信機１００のＬＣＤ画面５１１や表示灯（５１２、５１３、５１４、５１５）で各種の警報情報を表示し、警報音響部６１１にて音響警報出力を行う。Ｒ型副受信機９０ｂは、火災受信機１００から同種の警報情報信号をシリアル通信で受信して、副受信機９０ｂが備えるＬＣＤ画面や表示灯で同様の各種警報情報表示を行うとともに、警報音響部にて音響警報出力を行う（図３、９９ａ参照）。
【０００６】
副受信機９０ｂにて、音響を停止したい場合には、副受信機盤面に設けられたソフトロック式の音響停止ＳＷを押して、音響出力を停止する。このとき、音響停止ＳＷ近傍に設けられた音響停止灯が点灯する（図３、９７ｂ、９８ｂ参照）。
音響停止中に、火災受信機１００から警報情報信号が入力されると、副受信機９０ｂは、ＬＣＤ画面に新しく入力された警報情報を表示し、音響停止状態を解除して再度音響出力するとともに、音響停止灯（９８ｂ）を点滅させる。この場合、副受信機９０ｂは、音響停止状態でも、火災受信機１００から新たな警報情報信号を受信する度に、停止状態が解除されるため、火災受信機１００側において、副受信機９０ｂに音響停止状態を把握する必要はないため、特にその機能が設けられていなかった。
【０００７】
一方、Ｒ型火災受信機１００のＬＣＤ画面５１１は、タッチパネル方式であり、各種操作が可能であり、画面上の設定操作入力により、遠隔で副受信機９０ｂの音響警報出力を停止させることができる（警報停止機能）。従来、Ｒ型の火災受信機１００で副受信機警報停止を設定して副受信機９０ｂの音響停止を行った場合には、火災受信機１００上において、ＬＣＤ画面５１１上のメッセージ表示及びスイッチ注意灯（５１２の一つ）により、副受信機９０ｂの警報停止設定中である旨を表示して、管理者等に注意喚起している（例えば特許文献１）。
なお、この場合、火災受信機１００が新たな警報情報信号を受信して、火災受信機１００のＬＣＤ画面５１１で警報表示を行い、かつ警報音響部９９で音響警報出力するとともに、副受信機９０ｂへ警報情報信号を送信するが、副受信機９０ｂでは、新たなイベントの警報表示を行うが、音響警報出力は行われない。
【先行技術文献】
【特許文献】
【０００８】
【特許文献１】特開平４−２９９５００号公報
【発明の概要】
【発明が解決しようとする課題】
【０００９】
上述したように、従来の副受信機を備えた自動火災報知設備においては、副受信機側で音響停止ＳＷの操作により音響停止を行った場合に、火災受信機側で、副受信機が音響警報出力可能状態であるか音響停止状態であるかを把握することができなかった。
【００１０】
したがって、本発明は、副受信機が設置された場所において、例えば、保守・点検作業や部分改修など一時的または優先的に副受信機の音響警報出力を停止させたい場合に、副受信機の音響を停止するとともに、火災受信機において副受信機が音響停止されていることが容易に把握できる自動火災報知設備およびその音響警報表示方法を提供することを目的とする。
【課題を解決するための手段】
【００１１】
上記目的を達成するために、本発明は、火災受信機と、該火災受信機が各種情報表示および／または音響警報出力した時に前記火災受信機から移信された警報情報信号を受信して、前記各種情報表示と同種の情報表示および／または前記音響警報と同種の音響警報出力を行う副受信機とを少なくとも備えた自動火災報知設備において、前記火災受信機は、制御部と、操作部と、警報音響部と、各種情報表示画面および／または各種情報表示灯を有する表示部と、通信部とを備え、前記副受信機は、制御部と、音響停止ＳＷを有する操作部と、警報音響部と、各種情報表示画面および／または音響停止灯を有する表示部と、通信部とを備え、前記副受信機の制御部は、前記音響停止ＳＷにおける所定時間以上継続したＯＮ操作入力により、前記副受信機警報音響部を音響警報出力停止制御するとともに前記副受信機の通信部を介して音響警報出力停止状態を示す副受信機音響停止信号を前記火災受信機に送信し、前記火災受信機の制御部は、前記火災受信機の通信部を介して前記副受信機音響停止信号を受信すると、前記火災受信機表示部の各種情報表示画面および／または各種情報表示灯により前記副受信機が音響警報出力停止状態であることを示す表示出力制御することを特徴とする。
【００１２】
また、本発明の火災受信機及び副受信機を備えた自動火災報知設備の音響警報は、音響停止ＳＷにおける通常のＯＮ操作と異なる所定操作入力がなされると、音響警報出力を行わない、または音響警報出力を停止するとともに音響警報出力停止状態を示す副受信機音響停止信号を前記火災受信機に送信し、前記火災受信機は、前記副受信機音響停止信号を受信すると、表示部に前記副受信機が音響警報出力停止状態であることを表示する方式となっている。
【発明の効果】
【００１３】
本発明の音響警報状態表示機能を備えることにより、副受信機が設置された場所の現場状況に応じて一時的かつ優先的（強制的）に副受信機の音響停止を行うことができるとともに、火災受信機において、副受信機の音響停止がなされていることを表示させることにより、その副受信機音響停止状態を容易に把握することができる。
【図面の簡単な説明】
【００１４】
【図１】本発明の実施形態における自動火災報知設備１を示す概略構成図である。
【図２】図１の火災受信機（Ｒ型受信機）１０の盤面における操作部及び表示部の拡大図である。
【図３】従来の副受信機９０ｂ及び図１の副受信機９の盤前面の外観を示す正面図である。
【図４】図１の災受信機１０の各回路部を示す回路構成図である。
【図５】図１の副受信機９の各回路部を示す回路構成図である。
【図６】従来の副受信機（Ｐ型システム）の正面図（ａ）及び要部回路図（ｂ）である。
【図７】従来の自動火災報知設備１１０を示す概略構成図である。
【図８】（ａ）及び（ｂ）は、図１の火災受信機１０のＬＣＤタッチパネル５００に表示される表示灯画面の一例を示す図であり、（ｃ）は、副受信機９の通信方式で使用される伝送フォーマットの一例を示す図である。
【発明を実施するための形態】
【００１５】
本発明の実施形態について、図面を参照しながら以下に説明する。図１は、本発明を適用した一例である自動火災報知設備１の概略構成を示している。図１によれば、自動火災報知設備１は、火災受信機１０と、各種端末器３と、各種端末器３を接続した中継器４及び副受信機９等を備えたＲ型システムとして構成される。なお、Ｒ型システムでは、例えばアナログ感知器のように中継器を介さずに火災受信機と直接通信可能な端末器もある。また、感知器中継器、発信機中継器、防排煙端末中継器のように端末機器一つに対して一つの中継器が対応して接続されることも周知である。ただし、本実施形態では、説明を簡単にするため、火災受信機１０は、端末器３から中継器４を介して送信される発報信号（警報情報信号）を受信し、端末器や発生区域のイベントに関する所定情報を把握できることとする。
【００１６】
中継器４に接続される各種端末器３としては、火災感知器３ａ、ガス漏れ検知器３ｂ、防火戸や防火シャッタ等の防排煙設備機器３ｃ（防排煙端末器）、地区ベル３ｄ等が挙げられる。なお、図１には中継器４を２つのみ図示しているが、３つ以上の中継器４が接続される構成としてもよい。
また、副受信機９は、火災受信機１０と離れた場所に設置され、火災発生などの異常発生時に所定の各種警報情報を表示するとともに音響警報を行う（図３）。なお、副受信機９の盤前面の外観は、従来の副受信機９０ａと同じである。
【００１７】
火災受信機１０は、自動火災報知設備１を統括的に制御する役割を果たす。具体的には、各種端末器３からの報知に伴い中継器４から送信されてくる発報信号（警報情報信号）を受信することにより、火災やガス漏れ等のイベントの発生を検知して、この発生しているイベントの内容を示す各種警報データ等を表示する。また、自動火災報知設備１の管理作業者による指示操作等の操作入力を受けて防排煙設備機器３ｃや地区ベル３ｄ等を駆動制御する。以下に、火災受信機１０の構成について図４を参照しながら説明する。
【００１８】
図４は、火災受信機１０の構成を示している。図４によれば、火災受信機１０は、ＣＰＵ２１、ＲＯＭ２２、ＲＡＭ２３、ＥＥＰＲＯＭ２４、操作部２７、表示部２８、警報音響部２９を備えて構成されている。また、操作部２７、表示部２８、及び警報音響部２９は、インタフェース（Ｉ／Ｆ）を介してＣＰＵ２１に接続される（図示省略）。なお、火災受信機１０は、インタフェース（Ｉ／Ｆ部）３１ａ、３１ｂを介して中継器４及び副受信機９と接続しており、ＲＳ−４８５規格のシリアル通信により火災やガス漏れ等のイベント発生時に中継器４から送信されてくる発報信号（警報情報信号）の受信や受信入力に伴い副受信機９への警報データ（警報情報信号）の送信等を行っている。なお、火災受信機１０から副受信機９に電源供給線が接続されているが、本実施例では、便宜的に通信線ＣＬで包括的に接続状態を表すこととする。
【００１９】
表示部２８は、タッチパネル式の液晶ディスプレイ（ＬＣＤタッチパネル）５００及びＬＥＤ表示灯（５０（５０ａ）、５１、５２、５３、５４、５５）等から構成され、各種機能及び警報データを表示するとともに、所定機能の表示をタッチ操作することによって、その機能が選択されて、この機能に対応する操作画面を表示させることができる。具体的には、火災代表灯５０ａ、交流電源灯５１、発信機灯５２、スイッチ注意灯５３、保守灯５４、副受信機音響停止灯５５である。なお、これら表示灯群に現れる他の非常放送中灯、システム変更灯、故障灯、電池異常灯、電話灯は、便宜的に図示を省略している。
【００２０】
操作部２７は、連動停止や火災復旧等の各種指示操作を行うためのスイッチやボタンからなる。
警報音響部２９は、火災受信機１０に内蔵されたスピーカにより警報音または警報用音声などを音響出力して放音孔２９ａから音響警報を行うものである。
【００２１】
ＣＰＵ２１は、バスで接続された各部を統括的に制御するとともに、ＬＣＤ画面５００に表示される図示しない警報画面及び警報ウィンドウの表示制御処理を行う（図８参照）。
なお、ＬＣＤタッチパネル５００は、所定時間イベント入力や操作入力がない場合に、ＣＰＵ２１により消灯制御される（後述のＬＣＤ画面９８ａも同様である）。
【００２２】
ＲＯＭ２２は、読み取り専用の記憶媒体であり、電源のオンとオフに関りなく既に書込まれたデータを半永久的に記憶する。ＲＯＭ２２には、表示位置データが記憶されている。表示位置データは、表示画面に重ねて表示される警報ウィンドウの位置のデータである（図示せず）。
ＲＡＭ２３は、読み書き両用の記憶媒体であり、電源がオンになっている間だけ書込まれたデータを保持する。ＲＡＭ２３には、蓄積警報データが格納されている。蓄積警報データは、火災やガス漏れ等のイベントの発生時における各種端末器３からの報知にともなって中継器４から送信されてきた発報信号（警報情報信号）を受信して、この受信した発報信号（警報情報信号）に含まれるイベントの内容を示す警報データを逐次的に蓄積したものである。
【００２３】
次に、副受信機９の構成について図５を参照しながら説明する。図５によれば、副受信機９は、ＣＰＵ９１、ＲＯＭ９２、ＲＡＭ９３、ＥＥＰＲＯＭ９４、操作部９７、表示部９８、警報音響部９９を備え、更には図示しない電話ジャック部、電源部を備えて構成されている。
また、操作部９７、表示部９８、及び警報音響部９９は、インタフェース（Ｉ／Ｆ部）を介してＣＰＵ９１に接続される（図示省略）。なお、副受信機９は、インタフェース（Ｉ／Ｆ部）８１及び通信線ＣＬを介して火災受信機１０と接続されており、火災やガス漏れ等のイベント発生時に、火災受信機１０から送信されてくる発報信号（警報情報信号）を受信する（例えば、ＲＳ−４８５規格によるシリアル通信）。
【００２４】
表示部９８は、液晶ディスプレイ（ＬＣＤ画面）９８ａ及びＬＥＤ表示灯（９８ｂ、９８ｃ、９８ｄ）から構成され、火災受信機１０のＬＣＤタッチパネル画面５００に表示される各種機能及び警報データと同様の各種機能及び警報データ全てまたは所定内容の情報に限定して表示する。なお、火災受信機１０のＬＣＤタッチパネル画面５００と同様に、液晶ディスプレイ（ＬＣＤ画面）９８ａを所定機能の表示をタッチ操作することによって、その機能が選択されて、この機能に対応する操作画面を表示可能なタッチパネル方式の液晶ディスプレイ（ＬＣＤ画面）としても良い。
【００２５】
操作部９７は、副受信機９の音響出力警報音を停止するための音響停止ＳＷ９７ｂと液晶ディスプレイ（ＬＣＤ画面）９８ａに表示される内容が画面に収まりきらない場合に画面を下にスクロールさせる画面送りＳＷ９７ｄがから構成される。
警報音響部９９は、副受信機９に内蔵されたブザーまたはスピーカ９９ａ（および放音孔）により警報音または警報用音声などを音響出力して音響警報を行うものである。
【００２６】
ＣＰＵ９１は、バスで接続された各部を統括的に制御するとともに、ＬＣＤ画面９８ａに、火災受信機１０のＬＣＤタッチパネル画面５００に表示される各種機能及び警報データと同様の各種機能及び警報データ全てまたは必要に応じて所定内容の警報情報を示すように、警報画面及び警報ウィンドウの表示制御処理を行う（図８）。
【００２７】
ＲＯＭ９２は、読み取り専用の記憶媒体であり、電源のオンとオフに関りなく既に書込まれたデータを半永久的に記憶する。ＲＯＭ９２には、副受信機９のプログラムが記憶されている。当該プログラムは、副受信機９の基本的機能及び動作に関するプログラムである（図示せず）。
ＲＡＭ９３は、読み書き両用の記憶媒体であり、電源がオンになっている間だけ書込まれたデータを保持する。ＲＡＭ９３には、火災受信機１０から送られてくる警報データが順次格納されている。火災受信機１０から送られてくる警報情報信号に含まれるイベントの内容を示す警報データを逐次的に蓄積したものである。
【００２８】
（音響警報制御及び音響警報停止状態表示制御）
次に、本発明の副受信機音響停止状態を表示出力する制御及び音響停止状態表示方法について説明する。
火災受信機１０のＣＰＵ２１は、各種端末器３からの報知に伴い中継器４から送信されてくる警報情報信号を伝送制御線ＴＬ及びＩ／Ｆ部３１ａを介して受信すると、火災やガス漏れ等のイベントの発生を検知して、発生しているイベントの内容を示す各種警報情報データ等を各記憶部（ＲＯＭ２２、ＲＡＭ２３、ＥＥＰＲＯＭ２４）の制御処理プログラムに従って表示部２８のＬＣＤタッチパネル画面５００に図８のような警報画面及び警報ウィンドウの表示制御処理を行う（図示せず）。また、ＣＰＵ２１は、火災発生時には火災代表を示すＬＥＤ表示灯５０ａを点灯制御する（図２）。
さらに、ＣＰＵ２１は、警報音響部２９を音響警報出力制御して、スピーカ２９ａ（及び放音孔）から警報音を出力させる。
【００２９】
また、火災受信機１０のＣＰＵ２１は、インタフェース（Ｉ／Ｆ）３１ｂ及びシリアル通信線ＣＬ（包括的に電源線を含む）を介して副受信機９へ火災やガス漏れ等のイベントに対応した警報情報信号を送信する通信制御を行う（ＲＳ−４８５規格のシリアル通信制御）。
【００３０】
次に、副受信機９のＣＰＵ９１は、火災受信機１０から送信された火災やガス漏れ等のイベントに対応した警報情報信号（図８（ｃ））を、シリアル通信線ＣＬ（包括的に電源線を含む）及びインタフェース（Ｉ／Ｆ）８１を介して受信する（ＲＳ−４８５規格のシリアル通信制御）。
そして、受信した警報情報信号の警報情報データをＲＡＭ９３に取込むとともに、ＲＯＭ９２及びＥＥＰＲＯＭ９４により、制御処理プログラムに従って表示部９８のＬＣＤ画面９８ａに図８のような警報画面及び警報ウィンドウと同様の警報画面及び警報ウィンドウの表示制御処理を行う（図８（ａ））。ＬＣＤ画面９８ａに表示される警報情報は、図８（ｃ）の伝送フォーマットのコマンド７７によって制御処理内容が決定されており、テキストデータをコード変換された後に文字情報として表示される。なお、ＣＰＵ９１は、表示部９８の電源灯９８ｃを常時点灯制御している。
また、ＣＰＵ９１は、警報音響部９９を音響警報出力制御して、スピーカ９９ａ（及び放音孔）から警報音を出力させる。
【００３１】
音響警報出力中に、操作部９７の音響停止ＳＷ９７ｂが１秒以内でＯＮ操作されてＣＰＵ９１に音響停止信号が入力されると、ＣＰＵ９１は音響警報出力制御を停止する（通常音響停止モード）。また、（音響警報出力中か停止中かに係わらず）音響停止ＳＷが例えば２秒間長押しされると、ＣＰＵ９１に音響停止信号が入力され、ＣＰＵ９１は、音響停止信号の入力時間２秒をタイマーにより計時して、音響警報出力制御を停止するとともに、副受信機強制音響停止状態とする（副受信機強制音響停止モード）。そして、ＣＰＵ９１は、副受信機音響停止信号を図８（ｃ）の伝送フォーマットと同様の返送フォーマットにて火災受信機１０へ通信制御する。
【００３２】
一方、火災受信機１０は、副受信機９からの副受信機音響停止信号を受信すると、表示部２８の副受信機音響停止灯５５を点灯制御する。なお、自動火災報知設備１０の初期設定時に、火災受信機１０が副受信機９から副受信機音響停止信号を受信した場合に、ＣＰＵ２１が、ＬＣＤタッチパネル５００の消灯制御から図８（ａ）の警報画面に遷移させ、予め設定・記憶された副受信機音響停止表示部５０５の表示エリアを表示出力制御させるとともに、ＲＯＭ２２に記憶させた「副受信機音響停止中！」のテキストデータを読み出して表示出力制御するようにしても良い。
【００３３】
副受信機音響停止灯５５の点灯制御、またはＬＣＤタッチパネル５００の警報画面（図８（ａ））副受信機音響停止表示部５０５の表示制御（「副受信機音響停止中！」の表示灯）を終了させるには、副受信機９において、音響停止ＳＷ９７ｂが１秒以内でＯＮ操作入があるとＣＰＵ９１が副受信機音響停止信号の送出を停止する（副受信機強制音響停止モード終了）。
【００３４】
以上、本発明の火災受信機が副受信機音響停止状態を表示させる一例を説明したが、これに限定されない。
例えば、副受信機９において音響停止ＳＷ９７ｂからのＯＮ操作入力がなく、かつ、火災受信機１０から副受信機９のシリアル通信線ＣＬ及びインターフェース（Ｉ／Ｆ部）８１を介して副受信機９が警報情報信号を受信し、かつ副受信機９自身の警報音響部９９にて音響警報出力を行っているときに、さらに音響停止ＳＷ９７ｂが長押しされた場合は、副受信機９は、火災受信機１０へ副受信機音響停止信号を送信し、火災受信機１０では、ＬＣＤタッチパネル５００および／または副受信機音響停止灯５５が表示されるので、火災受信機１０が設置されている場所にいる者は、火災が発生して火災警報中に、副受信機９が設置された場所で建物利用者が副受信機９による警報を確認して、音響警報を停止していることが容易に把握できる。
【００３５】
なお、火災受信機１０は、保守時あるいは部分改修時などの状況に応じて、ＬＣＤタッチパネル５００での設定操作により、副受信機９への警報表示出力および音響警報出力について個別に各出力設定または各出力停止設定可能である。
また、副受信機９は、火災受信機１０から警報情報信号（警報出力制御指令）を受信した場合でも、音響停止ＳＷ９７ｂの操作により、個別に音響警報出力設定可能および音響停止設定可能である。
【００３６】
また、副受信機９は、火災受信機１０から副受信機９へ移信される警報情報信号を受信して、音響警報出力を行うとしたが、警報情報信号に副受信機９への音響警報出力制御指示の情報が含まれていても良いし、警報情報信号に副受信機９において音響警報出力制御指示の情報が含まれておらず、表示に関する表示制御指令情報のみが含まれていても良い。  すなわち、警報情報信号に音響警報出力制御指示の情報が含まれておらず表示に関する表示制御指令情報のみが含まれている場合、副受信機９は、図６のＰ型副受信機のような簡単かつ完全に火災受信機からの音響警報出力制御指令信号を遮断するロック式の音響停止ＳＷ及び音響出力回路を備え、副受信機９の制御部が、警報情報信号の表示制御指令情報の入力をもって、副受信機９内の警報音響部の音響出力回路を作動させ、音響停止ＳＷ（９７ｂ）をＯＮ操作しない限り音響停止できない構成（ＯＦＦ操作したら音響停止状態が解除され、音響警報出力が再開される構成）としても実現できる。
【産業上の利用可能性】
【００３７】
本発明は、防犯設備などの中央監視盤が設置されるとともに遠隔地に副受信機（副表示装置）がされる設備にも適用できる。
【符号の説明】
【００３８】
１，１１０  自動火災報知設備
３  各種感知器
４  中継器
９，９０ａ，９０ｂ  副受信機
１０，１００  火災受信機
２１、９１  ＣＰＵ
２２，９２  ＲＯＭ
２３，９３  ＲＡＭ
２７，９７  操作部
２８，９８  表示部
２９，９９  警報音響部
【図１】
2019179473.tif 000003
【図２】
2019179473.tif 000004
【図３】
2019179473.tif 000005
【図４】
2019179473.tif 000006
【図５】
2019179473.tif 000007
【図６】
2019179473.tif 000008
【図７】
2019179473.tif 000009
【図８】
2019179473.tif 000010